【手続補正書】
【提出日】平成17年8月29日(2005.8.29)
【手続補正１】
【補正対象書類名】明細書
【補正対象項目名】発明の名称
【補正方法】変更
【補正の内容】
【発明の名称】検証システムおよび方法、情報処理装置および方法、受注管理装置および方法、配送管理装置および方法
【手続補正２】
【補正対象書類名】明細書
【補正対象項目名】特許請求の範囲
【補正方法】変更
【補正の内容】
【特許請求の範囲】
【請求項１】  配送されてきた商品に関連する情報を検証する情報処理装置と、前記商品とともに配送される情報管理チップからなる検証システムにおいて、
前記情報処理装置は、
前記情報管理チップにより保存されている秘密鍵に対応する公開鍵を取得する取得手段と、
無作為情報を生成する無作為情報生成手段と、
前記無作為情報生成手段により生成された前記無作為情報を、近距離無線通信を介して前記情報管理チップに送信する無作為情報送信手段と、
前記無作為情報送信手段により送信された前記無作為情報に対応するものとして前記情報管理チップにより生成された署名情報を、前記近距離無線通信を介して受信する署名情報受信手段と、
前記署名情報受信手段により受信された前記署名情報を、前記取得手段により取得された前記公開鍵を用いて検証する検証手段と
を備え、
前記情報管理チップは、
前記秘密鍵を記憶する記憶手段と、
前記商品の受取人により操作される前記情報処理装置から、前記近距離無線通信を介して送信された前記無作為情報を受信する無作為情報受信手段と、
前記記憶手段により記憶されている前記秘密鍵を用いて、前記無作為情報受信手段により受信された前記無作為情報に対応する前記署名情報を生成する署名情報生成手段と、
前記署名情報生成手段により生成された前記署名情報を、前記近距離無線通信を介して前記情報処理装置に送信する署名情報送信手段と
を備えることを特徴とする検証システム。
【請求項２】  配送されてきた商品に関連する情報を検証する情報処理装置と、前記商品とともに配送される情報管理チップからなる検証システムの検証方法において、
前記情報処理装置の情報処理方法は、
前記情報管理チップにより保存されている秘密鍵に対応する公開鍵を取得する取得ステップと、
無作為情報を生成する無作為情報生成ステップと、
前記無作為情報生成ステップの処理により生成された前記無作為情報を、近距離無線通信を介して前記情報管理チップに送信する無作為情報送信ステップと、
前記無作為情報送信ステップの処理により送信された前記無作為情報に対応するものとして前記情報管理チップにより生成された署名情報を、前記近距離無線通信を介して受信する署名情報受信ステップと、
前記署名情報受信ステップの処理により受信された前記署名情報を、前記取得ステップの処理により取得された前記公開鍵を用いて検証する検証ステップと
を含み、
前記情報管理チップの情報管理方法は、
前記秘密鍵を記憶する記憶ステップと、
前記商品の受取人により操作される前記情報処理装置から、前記近距離無線通信を介して送信された前記無作為情報を受信する無作為情報受信ステップと、
内部に記憶されている前記秘密鍵を用いて、前記無作為情報受信ステップの処理により受信された前記無作為情報に対応する前記署名情報を生成する署名情報生成ステップと、
前記署名情報生成ステップの処理により生成された前記署名情報を、前記近距離無線通信を介して前記情報処理装置に送信する署名情報送信ステップと
を含むことを特徴とする検証方法。
【請求項３】  配送されてきた商品に関連する情報を検証する情報処理装置において、
前記商品とともに配送されてきた情報管理チップにより管理されている第１の秘密鍵に対応する公開鍵を取得する取得手段と、
無作為情報を生成する無作為情報生成手段と、
前記無作為情報生成手段により生成された前記無作為情報を、近距離無線通信を介して前記情報管理チップに送信する送信手段と、
前記送信手段により送信された前記無作為情報に対応するものとして前記情報管理チップにより生成された第１の署名情報を、前記近距離無線通信を介して受信する署名情報受信手段と、
前記署名情報受信手段により受信された前記第１の署名情報を、前記取得手段により取得された前記公開鍵を用いて検証する第１の検証手段と
を備えることを特徴とする情報処理装置。
【請求項４】  前記第１の秘密鍵を用いて前記情報管理チップにより生成された、前記商品の配送に関する配送関連情報に対応する第２の署名情報を、前記配送関連情報とともに前記近距離無線通信を介して受信する配送関連情報受信手段と、
前記配送関連情報受信手段により受信された前記第２の署名情報を、前記公開鍵を用いて検証する第２の検証手段と
をさらに備え、
前記送信手段は、前記第２の検証手段により前記第２の署名情報の正当性が確認されたとき、前記無作為情報を前記情報管理チップに送信する
ことを特徴とする請求項３に記載の情報処理装置。
【請求項５】  前記第１の検証手段による検証結果を出力する検証結果出力手段をさらに備える
ことを特徴とする請求項３に記載の情報処理装置。
【請求項６】  第２の秘密鍵を記憶する記憶手段と、
前記記憶手段により記憶されている前記第２の秘密鍵を用いて、前記商品の識別情報を含む商品情報、および、前記商品の注文主に関するユーザ情報に対応する第２の署名情報を生成する署名情報生成手段と、
前記商品情報、前記ユーザ情報、前記署名情報生成手段により生成された前記第２の署名情報を含む注文情報を、前記商品の受注を管理する受注管理装置に対して送信し、前記商品を注文する注文手段と
をさらに備えることを特徴とする請求項３に記載の情報処理装置。
【請求項７】  配送されてきた商品に関連する情報を検証する情報処理装置の情報処理方法において、
前記商品とともに配送されてきた情報管理チップにより管理されている秘密鍵に対応する公開鍵を取得する取得ステップと、
無作為情報を生成する生成ステップと、
前記生成ステップの処理により生成された前記無作為情報を、近距離無線通信を介して前記情報管理チップに送信する送信ステップと、
前記送信ステップの処理により送信された前記無作為情報に対応するものとして前記情報管理チップにより生成された署名情報を、前記近距離無線通信を介して受信する受信ステップと、
前記受信ステップの処理により受信された前記署名情報を、前記取得ステップの処理により取得された前記公開鍵を用いて検証する検証ステップと
を含むことを特徴とする情報処理方法。
【請求項８】  情報処理装置からの注文に応じて、商品の受注を管理する受注管理装置において、
前記商品の識別情報を含む商品情報、および、前記商品の注文主に関するユーザ情報、並びに、前記情報処理装置により保存されている第１の秘密鍵を用いて生成された、前記商品情報と前記ユーザ情報に対応する第１の署名情報を含む注文情報を、前記情報処理装置から受信する受信手段と、
前記ユーザ情報を認証局に送信し、前記第１の秘密鍵に対応する公開鍵の送信を要求する要求手段と、
前記要求手段による要求に応じて前記認証局から送信されてきた前記公開鍵を用いて、前記第１の署名情報の正当性を検証する検証手段と、
前記検証手段により前記第１の署名情報の正当性が確認されたとき、注文が成立したことを前記情報処理装置に通知する通知手段と
を備えることを特徴とする受注管理装置。
【請求項９】  情報処理装置からの注文に応じて、商品の受注を管理する受注管理装置の受注管理方法において、
前記商品の識別情報を含む商品情報、および、前記商品の注文主に関するユーザ情報、並びに、前記情報処理装置により保存されている秘密鍵を用いて生成された、前記商品情報と前記ユーザ情報に対応する署名情報を含む注文情報を、前記情報処理装置から受信する受信ステップと、
前記ユーザ情報を認証局に送信し、前記秘密鍵に対応する公開鍵の送信を要求する要求ステップと、
前記要求ステップの処理による要求に応じて前記認証局から送信されてきた前記公開鍵を用いて、前記署名情報の正当性を検証する検証ステップと、
前記検証ステップの処理により前記署名情報の正当性が確認されたとき、注文が成立したことを前記情報処理装置に通知する通知ステップと
を含むことを特徴とする受注管理方法。
【請求項１０】  商品の受注を管理する受注管理装置からの依頼に応じて、商品の配送を管理する配送管理装置において、
前記商品の識別情報を含む商品情報、前記商品の注文主に関するユーザ情報、前記受注管理装置の管理者に関する受注者情報、前記受注管理装置により管理される秘密鍵を用いて生成された、前記商品情報、前記ユーザ情報、および前記受注者情報に対応する署名情報を含む前記配送依頼情報を、前記受注管理装置から受信する受信手段と、
前記受注者情報を認証局に送信し、前記秘密鍵に対応する公開鍵の送信を要求する要求手段と、
前記要求手段による要求に応じて前記認証局から送信されてきた前記公開鍵を用いて、前記署名情報の正当性を検証する検証手段と、
前記検証手段により前記署名情報の正当性が確認されたとき、前記商品とともに配送される情報管理チップに、前記商品の配送に関する配送関連情報を記憶させる記憶制御手段と
を備えることを特徴とする配送管理装置。
【請求項１１】  商品の受注を管理する受注管理装置からの依頼に応じて、商品の配送を管理する配送管理装置の配送管理方法において、
前記商品の識別情報を含む商品情報、前記商品の注文主に関するユーザ情報、前記受注管理装置の管理者に関する受注者情報、前記受注管理装置により管理される秘密鍵を用いて生成された、前記商品情報、前記ユーザ情報、および前記受注者情報に対応する署名情報を含む前記配送依頼情報を、前記受注管理装置から受信する受信ステップと、
前記受注者情報を認証局に送信し、前記秘密鍵に対応する公開鍵の送信を要求する要求ステップと、
前記要求ステップの処理による要求に応じて前記認証局から送信されてきた前記公開鍵を用いて、前記署名情報の正当性を検証する検証ステップと、
前記検証ステップの処理により前記署名情報の正当性が確認されたとき、前記商品とともに配送される情報管理チップに、前記商品の配送に関する配送関連情報を記憶させる記憶制御ステップと
を含むことを特徴とする配送管理方法。
【手続補正３】
【補正対象書類名】明細書
【補正対象項目名】０００１
【補正方法】変更
【補正の内容】
【０００１】
【発明の属する技術分野】
本発明は、検証システムおよび方法、情報処理装置および方法、受注管理装置および方法、配送管理装置および方法に関し、特に、配送されてきた荷物の中身や配送元、或いは、配送業者などの荷物の配送に関する様々な情報の正当性を、容易に、かつ確実に確認できるようにする検証システムおよび方法、情報処理装置および方法、受注管理装置および方法、配送管理装置および方法に関する。
【手続補正４】
【補正対象書類名】明細書
【補正対象項目名】００１６
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２４
【補正方法】削除
【補正の内容】
【手続補正９】
【補正対象書類名】明細書
【補正対象項目名】００２６
【補正方法】削除
【補正の内容】
【手続補正１０】
【補正対象書類名】明細書
【補正対象項目名】００２７
【補正方法】削除
【補正の内容】
【手続補正１１】
【補正対象書類名】明細書
【補正対象項目名】００２９
【補正方法】削除
【補正の内容】
【手続補正１２】
【補正対象書類名】明細書
【補正対象項目名】００３０
【補正方法】削除
【補正の内容】
【手続補正１３】
【補正対象書類名】明細書
【補正対象項目名】００３１
【補正方法】削除
【補正の内容】
【手続補正１４】
【補正対象書類名】明細書
【補正対象項目名】００３３
【補正方法】削除
【補正の内容】
【手続補正１５】
【補正対象書類名】明細書
【補正対象項目名】００３４
【補正方法】削除
【補正の内容】
【手続補正１６】
【補正対象書類名】明細書
【補正対象項目名】００３５
【補正方法】削除
【補正の内容】
【手続補正１７】
【補正対象書類名】明細書
【補正対象項目名】００３６
【補正方法】削除
【補正の内容】
【手続補正１８】
【補正対象書類名】明細書
【補正対象項目名】００３７
【補正方法】削除
【補正の内容】
【手続補正１９】
【補正対象書類名】明細書
【補正対象項目名】００３８
【補正方法】削除
【補正の内容】
【手続補正２０】
【補正対象書類名】明細書
【補正対象項目名】００３９
【補正方法】削除
【補正の内容】
【手続補正２１】
【補正対象書類名】明細書
【補正対象項目名】００４０
【補正方法】削除
【補正の内容】
【手続補正２２】
【補正対象書類名】明細書
【補正対象項目名】００４３
【補正方法】変更
【補正の内容】
【００４３】
本発明の情報処理装置および方法においては、商品とともに配送されてきた情報管理チップにより保存されている秘密鍵に対応する公開鍵が取得され、無作為情報が生成される。また、生成された無作為情報が、近距離無線通信を介して情報管理チップに送信され、情報管理チップにより無作為情報に対応するものとして生成された署名情報が、近距離無線通信を介して受信され、公開鍵を用いて検証される。
【手続補正２３】
【補正対象書類名】明細書
【補正対象項目名】００４４
【補正方法】変更
【補正の内容】
【００４４】
本発明の受注管理装置および方法においては、商品の識別情報を含む商品情報、および、商品の注文主に関するユーザ情報、並びに、情報処理装置により保存されている第１の秘密鍵を用いて生成された、商品情報とユーザ情報に対応する第１の署名情報を含む注文情報が受信され、ユーザ情報が認証局に送信され、第１の秘密鍵に対応する公開鍵の送信が要求される。また、要求に応じて認証局から送信されてきた公開鍵を用いて、第１の署名情報の正当性が検証され、第１の署名情報の正当性が確認されたとき、注文が成立したことが情報処理装置に通知される。
【手続補正２４】
【補正対象書類名】明細書
【補正対象項目名】００４５
【補正方法】変更
【補正の内容】
【００４５】
本発明の配送管理装置および方法においては、商品の識別情報を含む商品情報、商品の注文主に関するユーザ情報、受注管理装置の管理者に関する受注者情報、受注管理装置により保存される秘密鍵を用いて生成された、商品情報、ユーザ情報、および受注者情報に対応する署名情報を含む配送依頼情報が受信され、受注者情報を認証局に送信が、秘密鍵に対応する公開鍵の送信が要求される。また、要求に応じて認証局から送信されてきた公開鍵を用いて、署名情報の正当性が検証され、署名情報の正当性が確認されたとき、商品とともに配送される情報管理チップに、商品の配送に関する配送関連情報が記憶される。
【手続補正２５】
【補正対象書類名】明細書
【補正対象項目名】００４６
【補正方法】削除
【補正の内容】